(57)【要約】【課題】建物の床梁の剛性を確保し、たわみ感の改善と同時に減衰性を向上させ居住性を改善する床振動対策のためのチューンドマスダンパーを提供する。【解決手段】  床を支承する梁２の下端部に中空の剛性補強体３が備えられ、この中空の剛性補強体３の内側に粘弾性材４を介してマス５が備えられているチューンドマスダンパー１によって、床梁の断面二次モーメントを向上させるとともに、床梁の振動を減衰するようになされている。剛性補強材３は、梁２に対して断続的に複数備えられていてもよい。【選択図】    図１
2008297751.tif 000002
【特許請求の範囲】
【請求項１】
床を支承する梁に剛性補強体が備えられ、この剛性補強体に粘弾性材を介してマスが備えられていることを特徴とするチューンドマスダンパー。
【請求項２】
床を支承する梁の下端部に中空の剛性補強体が備えられ、この中空の剛性補強体の内側に粘弾性材を介してマスが備えられていることを特徴とするチューンドマスダンパー。
【請求項３】
前記剛性補強体が梁に対して断続的に複数備えられている請求項１又は２に記載のチューンドマスダンパー。
【発明の詳細な説明】
【技術分野】
【０００１】
本発明は、床などの振動抑制に用いられるチューンドマスダンパーに関する。
【背景技術】
【０００２】
建物における床振動対策として、床パネルを受ける床梁を追加したり、床パネルの下地を増し貼りしたり、隣り合う床梁に渡し材を設けてチューンドマスダンパーを設置するなどの対策がとられている。
【０００３】
チューンドマスダンパーは、マスの揺れの周期を制振対象物の揺れの周期と同じに設定し、制振対象物の揺れとマスの揺れとを共振させることで、制振対象物の揺れを抑制しようとするものである。
【０００４】
【特許文献１】特開２００１−１６５２３４号公報
【発明の開示】
【発明が解決しようとする課題】
【０００５】
しかし、床振動対策として床パネルを受ける床梁を追加したり、床パネルの下地を増し貼りする対策では、床パネルの減衰性が床振動の原因の場合、十分な効果が得られない。また、床梁間に渡し材を設けてチューンドマスダンパーを設置する対策は、床パネル下にかなりの空間を必要とし、床パネル下のグラスウールや電気配線の施工に支障をきたす。特に、建物の引渡し後にチューンドマスダンパーを設置するときは、非常に大がかりな工事となってしまう。
【０００６】
本発明は、建物の床梁の剛性を確保し、たわみ感の改善と同時に減衰性を向上させ居住性を改善する床振動対策のためのチューンドマスダンパーを提供することを課題とする。
【課題を解決するための手段】
【０００７】
上記の課題は、床を支承する梁に剛性補強体が備えられ、この剛性補強体に粘弾性材を介してマスが備えられていることを特徴とするチューンドマスダンパーにより解決される。
【０００８】
本チューンドマスダンパーによれば、床を支承する梁に剛性補強材が備えられるため、梁の断面二次モーメントが向上し、梁の剛性が向上することによる梁のたわみが改善され、床振動が低減される。
【０００９】
また、剛性補強体には粘弾性体を介してマスが備えられているため、剛性補強体がチューンドマスダンパーとして機能し、床振動が減衰され、床振動を効果的に低減することができる。
【００１０】
また前記の課題は、床を支承する梁の下端部に中空の剛性補強体が備えられ、この中空の剛性補強体の内側に粘弾性材を介してマスが備えられていることを特徴とするチューンドマスダンパーによっても解決される。
【００１１】
本チューンドマスダンパーでは、床を支承する梁の下端部に中空の剛性補強体を備える構成であるため、建物の梁下の狭いスペースを有効に活用して、剛性補強体を備えさせ、梁の断面二次モーメントを向上させ、梁の剛性を向上させることができるとともに、中空の剛性補強体の内側に粘弾性材を介してマスが備えられるため、断面二次モーメントを向上させるとともに、内側のスペースを効果的に利用することにより、チューンドマスダンパーを形成することができる。
【００１２】
また、前記チューンドマスダンパーにおいて、剛性補強体が梁に対して断続的に複数備えられているとよい。
【００１３】
剛性補強体が梁に対して断続的に複数備えられることで、梁下の障害物を避けながら、剛性補強体を効果的に梁に備えさせることができ、梁の断面二次モーメントが向上し、梁の剛性が向上することによる梁のたわみが改善され、床振動が低減させることができる。
【発明の効果】
【００１４】
本発明は以上のとおりであるから、剛性を確保し、たわみ感の改善と同時に減衰性を向上させ居住性を改善する床振動対策のためのチューンドマスダンパーを実現することができる。
【発明を実施するための最良の形態】
【００１５】
次に、本発明の実施最良形態を図面に基づいて説明する。
【００１６】
図１に示す梁に取り付けられたチューンドマスダンパー１において、２は床を支持する上フランジ２ａと下フランジ２ｂとこれらをつなぐウェブ２ｃからなるＨ型鋼、３は断面視長方形の枠体からなる中空の剛性補強体、４は粘弾性材、５はマス、６は下フランジ２ｂに剛性補強体３を固定する締結材としてのボルト・ナットである。なお、７は床板、８はブレスである。
【００１７】
剛性補強体３は、幅寸法の異なる２つの溝型部材３ａ、３ｂをそれぞれ開口側を向かいあわせにして一体化されている。下端側に位置する溝型部材３ｂには、粘弾性体４を介してマス５が固定されている。内側に粘弾性体４を介してマス５が固定された剛性補強体３は、溝型部材３ａおよび梁２の下フランジ２ｂにそれぞれ穿孔されたボルト挿通用の孔を介してボルト・ナットからなる締結部材により梁２に固定される。
【００１８】
剛性補強体３が取り付けられた梁２は上フランジ２ａ、下フランジ２ｂ及びこれらをつなぐウェブ２ｃからなるＨ型鋼と比較して断面二次モーメントは向上し、床を支持する梁としての剛性が向上する。梁の剛性が向上することによる梁のたわみが改善され、床振動が低減させることができる。
【００１９】
また、剛性補強材３の内側には、粘弾性体４を介してマス５がとりつけられているため、マス５の振動の周期を梁２の振動の周期と一致させ、マス５の振動と、梁２の振動を共振させることで梁の振動を抑制させることができるとともに、粘弾性体４がエネルギーを吸収する減衰材として機能し、剛性補強材３がチューンドマスダンパーとして機能する。
【００２０】
特に、床梁間に渡し材を設けてチューンドマスダンパーを設置する場合は、床パネル下にかなりの空間を必要とし、床パネル下のグラスウールや電気配線の施工に支障をきたすが、本実施形態のチューンドマスダンパー１では、梁下に剛性補強材を取り付けるだけで、チューンドマスダンパーを構成することができ、小さなスペースでそれを実現することができる。特に、建物の引渡し後に、床振動対策として後からチューンドマスダンパーを追加で設置するときは、大がかりな工事をすることなく、チューンドマスダンパーの設置を実現することができる。
【００２１】
以上に、本発明の実施形態を示したが、本発明はこれに限られるものではなく、発明思想を逸脱しない範囲で各種の変更が可能である。例えば、上記の実施形態では、剛性補強材を梁の一部分に取り付けた場合について示したが、梁に沿って断続的に複数の剛性補強材を取り付けてもよいし、梁と同じ寸法の剛性補強材を取り付けてもよいことはいうまでもない。
【００２２】
また、上記実施形態では、梁の下フランジに剛性補強材をボルト・ナットで締結した場合について示したが、剛性補強材の取り付け方法に制限はなく、固定金具を用いて取り付けてもよいし、溶接など他の方法によってもよい。
【図面の簡単な説明】
【００２３】
【図１】本発明の実施形態を示す図であって、図（イ）はチューンドマスダンパーを示す正面図、図（ロ）はチューンドマスダンパーの梁への取り付け状況を示す図（イ）のＡ−Ａ線断面矢視図、図（ハ）は梁が床を支持する状況を示す正面図である。
【符号の説明】
【００２４】
１・・・チューンドマスダンパー
２・・・梁
３・・・剛性補強体
４・・・粘弾性体
５・・・マス
【図１】
2008297751.tif 000003